(57)【要約】【課題】他人に見られたくない情報を入力して表示する場合に、他人に見られたくない情報の覗き見を防止すること。【解決手段】携帯型情報処理装置は、表示情報の元となるソース情報を解析して、その入力エリアを判別するソース情報解析手段と、前記ソース情報解析手段で判別された入力エリアに入力される情報が見え難くなるように前記ソース情報を加工するソース情報加工手段と、前記ソース情報加工手段で加工されたソース情報に基づいた表示情報を表示画面に表示させる表示制御手段と、を備えている。【選択図】  図１
2016053899.tif 000002
【特許請求の範囲】
【請求項１】
表示情報の元となるソース情報を解析して、その入力エリアを判別するソース情報解析手段と、
前記ソース情報解析手段で判別された入力エリアに入力される情報が見え難くなるように前記ソース情報を加工するソース情報加工手段と、
前記ソース情報加工手段で加工されたソース情報に基づいた表示情報を表示画面に表示させる表示制御手段と、
を備えたことを特徴とする携帯型情報処理装置。
【請求項２】
前記ソース情報は、ＨＴＭＬ情報であり、
前記ソース情報解析手段は、ＨＴＭＬ情報のタグを解析して、前記入力エリアを判別することを特徴とする請求項１に記載の携帯型情報処理装置。
【請求項３】
前記ソース情報加工手段は、前記入力エリアに背景を表示するように前記ソース情報を加工することを特徴とする請求項１又は請求項２に記載の携帯型情報処理装置。
【請求項４】
前記ソース情報加工手段は、前記入力エリアに入力される文字がカラーで表示されるように、前記ソース情報を加工することを特徴とする請求項１〜請求項３のいずれか１つに記載の携帯型情報処理装置。
【請求項５】
前記ソース情報加工手段は、前記入力エリアに入力される文字が小さく表示されるように、前記ソース情報を加工することを特徴とする請求項１〜請求項４のいずれか１つに記載の携帯型情報処理装置。
【請求項６】
表示情報の元となるソース情報を解析して、その入力エリアを判別するソース情報解析工程と、
前記ソース情報解析工程で判別された入力エリアに入力される情報が見え難くなるように前記ソース情報を加工するソース情報加工工程と、
前記ソース情報加工工程で加工されたソース情報に基づいた表示情報を表示画面に表示させる表示制御工程と、
を含むことを特徴とする表示制御方法。
【請求項７】
携帯型情報処理装置に搭載されるプログラムであって、
表示情報の元となるソース情報を解析して、その入力エリアを判別するソース情報解析工程と、
前記ソース情報解析工程で判別された入力エリアに入力される情報が見え難くなるように前記ソース情報を加工するソース情報加工工程と、
前記ソース情報加工工程で加工されたソース情報に基づいた表示情報を表示画面に表示させる表示制御工程と、
をコンピュータに実行させることを特徴とするコンピュータが実行可能なプログラム。
【発明の詳細な説明】
【技術分野】
【０００１】
本発明は、携帯型情報処理装置、表示制御方法、及びコンピュータが実行可能なプログラムに関する。
【背景技術】
【０００２】
近時、ノートＰＣ，タブレット端末、スマートフォン端末、携帯電話端末、及びＰＤＡ端末等の携帯型情報処理装置はその普及に伴い、室内で使用されるほか、屋外、電車・バス等の車内など、不特定多数の人間が密集する場所でも使用される。例えば、電車・バス等の車内で携帯型情報処理装置を使用する場合は、隣席や斜め後方にいる第三者により、携帯型情報処理装置の表示画面を覗き見される可能性がある。
【０００３】
特に、パスワードや個人情報等を入力するための入力フォームは、白い背景で黒文字のフォントを使って入力するのが一般的であるため、覗き見されやすい状況にある。そのため、携帯型情報処理装置に、パスワードや個人情報などの秘匿性の高い情報を入力する場合には、秘匿性の高い情報を保護するため、表示画面を覗き見されるのを防止することが望まれる。
【０００４】
携帯型情報処理装置の表示画面の覗き見を防止する方法として、例えば、表示画面に、
視界を制限するプライバシー保護シールを貼る方法がある。保護シールは、着色された半透明の樹脂等で形成されているため、表示画面を見え難くすることができる。しかしながら、保護シールは接着剤により表示画面に貼り付けるので、一般に何度も張ったり剥がしたりすることができず、一度貼り付けるとずっと貼り付けられたままとなる。また、画面全体に保護シールが貼られるため、使用者にとって、表示画像のうち、覗き見を防止したい部分以外の部分も見え難くなってしまう。
【０００５】
また、プライバシーフィルターソフトを使用して、表示画面全体に色フィルタをかけたように暗く又は明るくし、隣席や斜め後方にいる第三者により、表示画面を覗き見されることを防止する方法がある。しかしながら、画面全体にフィルタをかけるため、使用者にとって、表示画像のうち、覗き見を防止したい部分以外の部分も見え難くなってしまうという。
【０００６】
そのため、他人に見られたくない情報のみを見え難くし、それ以外については通常の表示を行うことが望まれる。
【先行技術文献】
【特許文献】
【０００７】
【特許文献１】特開２００７−３４１９２号公報
【非特許文献】
【０００８】
【非特許文献１】ｈｔｔｐ：／／ｗｗｗ．ｆｏｒｅｓｔ．ｉｍｐｒｅｓｓ．ｃｏ．ｊｐ／ｄｏｃｓ／ｓｅｒｉａｌ／ｏｋｉｎｉｉｒｉ／２００９１１１２＿３２８２０１．ｈｔｍｌのＵＲＬ情報
【発明の概要】
【発明が解決しようとする課題】
【０００９】
本発明は、上記に鑑みてなされたものであり、他人に見られたくない情報を入力して表示する場合に、他人に見られたくない情報の覗き見を防止することが可能な携帯型情報処理装置、表示制御方法、及びコンピュータが実行可能なプログラムを提供することを目的とする。
【課題を解決するための手段】
【００１０】
上述した課題を解決し、目的を達成するために、本発明は、表示情報の元となるソース情報を解析して、その入力エリアを判別するソース情報解析手段と、前記ソース情報解析手段で判別された入力エリアに入力される情報が見え難くなるように前記ソース情報を加工するソース情報加工手段と、前記ソース情報加工手段で加工されたソース情報に基づいた表示情報を表示画面に表示させる表示制御手段と、を備えたことを特徴とする。
【００１１】
また、本発明の好ましい態様によれば、前記ソース情報は、ＨＴＭＬ情報であり、前記ソース情報解析手段は、ＨＴＭＬ情報のタグを解析して、前記入力エリアを判別することが望ましい。
【００１２】
また、本発明の好ましい態様によれば、前記ソース情報加工手段は、前記入力エリアに背景を表示するように前記ソース情報を加工することが望ましい。
【００１３】
また、本発明の好ましい態様によれば、前記ソース情報加工手段は、前記入力エリアに入力される文字がカラーで表示されるように、前記ソース情報を加工することが望ましい。
【００１４】
また、本発明の好ましい態様によれば、前記ソース情報加工手段は、前記入力エリアに入力される文字が小さく表示されるように、前記ソース情報を加工することが望ましい。
【００１５】
また、上述した課題を解決し、目的を達成するために、本発明は、表示情報の元となるソース情報を解析して、その入力エリアを判別するソース情報解析工程と、前記ソース情報解析工程で判別された入力エリアに入力される情報が見え難くなるように前記ソース情報を加工するソース情報加工工程と、前記ソース情報加工工程で加工されたソース情報に基づいた表示情報を表示画面に表示させる表示制御工程と、を含むことを特徴とする。
【００１６】
また、上述した課題を解決し、目的を達成するために、本発明は、携帯型情報処理装置に搭載されるプログラムであって、表示情報の元となるソース情報を解析して、その入力エリアを判別するソース情報解析工程と、前記ソース情報解析工程で判別された入力エリアに入力される情報が見え難くなるように前記ソース情報を加工するソース情報加工工程と、前記ソース情報加工工程で加工されたソース情報に基づいた表示情報を表示画面に表示させる表示制御工程と、をコンピュータに実行させることを特徴とする。
【発明の効果】
【００１７】
本発明によれば、他人に見られたくない情報を入力して表示する場合に、他人に見られたくない情報の覗き見を防止することが可能になるという効果を奏する。
【図面の簡単な説明】
【００１８】
【図１】図１は、本実施の形態に係る携帯型情報処理装置の概念図である。
【図２】図２は、本実施の形態に係る携帯型情報処理装置を適用したノートＰＣの概略の外観図である。
【図３】図３は、図２のノートＰＣの概略のハードウェア構成例を示す図である。
【図４】図４は、図３のノートＰＣの入力エリアの難視化処理に関する概略の機能構成を示す図である。
【図５】図５は、図４のノートＰＣの入力エリアの難視化処理の概略を説明するためのフローチャートである。
【図６−１】図６−１は、入力エリアの難視化処理を説明するための表示例を示す図である。
【図６−２】図６−２は、入力エリアの難視化処理を説明するための表示例を示す図である。
【図６−３】図６−３は、入力エリアの難視化処理を説明するための表示例を示す図である。
【図７−１】図７−１は、入力エリアの難視化処理を説明するための表示例を示す図である。
【図７−２】図７−２は、入力エリアの難視化処理を説明するための表示例を示す図である。
【図７−３】図７−３は、入力エリアの難視化処理を説明するための表示例を示す図である。
【発明を実施するための形態】
【００１９】
以下に、この発明に係る携帯型情報処理装置、表示制御方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、本明細書の特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。なお、この実施の形態によりこの発明が限定されるものではない。また、下記実施の形態における構成要素には、当業者が容易に想定できるもの又は実質的に同一のものが含まれる。
【００２０】
（実施の形態）
図１は、本実施の形態に係る携帯型情報処理装置の概念図である。図１に示す携帯型情報処理装置は、ハードウェアやソフトウェアのモジュール、又は、その組み合わせで構成することができる。携帯型情報処理装置は、図１に示すように、ソース情報解析手段１と、ソース情報加工手段２と、表示制御手段３と、及び表示部４等を備えている。
【００２１】
表示部４は、例えば、ＬＣＤや有機ＥＬで構成されており、表示画面に表示情報を表示するためのものである。
【００２２】
ソース情報解析手段１は、表示情報の元となるソース情報を取得し、その入力エリアを判別する。ソース情報は、例えば、ＨＴＭＬ等のマークアップ言語等である。例えば、ソース情報解析手段２は、ソース情報がＨＴＭＬ情報である場合には、ＨＴＭＬ情報のタグを解析して、入力エリアを判別することにしてもよい。
【００２３】
ソース情報加工手段２は、ソース情報解析手段２で判別された入力エリアに入力される情報が見え難くなるようにソース情報を加工する。例えば、第１の方法として、ソース情報加工手段２は、入力エリアに入力される情報（例えば、文字）が見え難くなるように、入力エリアに背景（例えば、模様やモザイク等）を表示するようにソース情報を加工することにしてもよい。第２の方法として、ソース情報加工手段２は、入力エリアに入力される文字が見え難くなるように、入力エリアに入力される文字がカラー（例えば、黄色や灰色）で表示されるようにソース情報を加工することにしてもよい。第３の方法として、ソース情報加工手段２は、入力エリアに入力される文字が見え難くなるように、入力エリアに入力される文字のサイズが小さく表示されるようにソース情報を加工することにしてもよい。第１〜第３の方法は単独で実行してもよく、また、組み合わせて実行してもよい。
【００２４】
表示制御手段３は、ソース情報加工手段２で加工されたソース情報に基づいた表示情報を表示部４の表示画面に表示させる。例えば、表示制御手段３は、ソース情報加工手段２で加工されたソース情報を表示情報に変換して、変換した表示情報を表示部４に出力して表示させる。
【００２５】
本実施の形態によれば、表示情報の元となるソース情報を解析して、その入力エリアを判別するソース情報解析手段１と、ソース情報解析手段１で判別された入力エリアに入力される情報が見え難くなるようにソース情報を加工するソース情報加工手段２と、ソース情報加工手段２で加工されたソース情報に基づいた表示情報を表示画面に表示させる表示制御手段３と、を備えているので、他人に見られたくない情報を入力して表示する場合に、他人に見られたくない情報の覗き見を防止することが可能となる。
【００２６】
また、ソース情報は、ＨＴＭＬ情報であり、ソース情報解析手段１は、ＨＴＭＬ情報のタグを解析して、入力エリアを判別することとしたので、ブラウザ等でＨＴＭＬ情報に基づいて表示を行う場合に、判別した入力エリアに入力される情報を見え難くすることが可能となる。
【００２７】
また、ソース情報加工手段２は、入力エリアに背景を表示するようにソース情報を加工することとしたので、入力エリアに模様やモザイク等の背景を表示して、入力エリアに入力される情報を見え難くすることが可能となる。
【００２８】
また、ソース情報加工手段２は、入力エリアに入力される文字がカラーで表示されるように、ソース情報を加工することとしたので、入力エリアに入力される文字を黄色や灰色等のカラーで表示して、入力エリアに入力される情報を見え難くすることが可能となる。
【００２９】
また、ソース情報加工手段２は、入力エリアに入力される文字が小さく表示されるように、ソース情報を加工することとしたので、入力エリアに入力される文字を小さなサイズで表示して、入力エリアに入力される情報を見え難くすることが可能となる。
【００３０】
（実施例）
図２は、上記実施の形態に係る携帯型情報処理装置を適用したノートＰＣの概略の外観図である。図２に示すように、ノートＰＣ１０は、いずれも略直方体である本体側筐体１２及びディスプレイ側筐体１３を備える。本体側筐体１２は、キーボード及びタッチパッド等を有する入力部１４と、マイクロフォン１５と、スピーカ１６ａ、１６ｂとを備える。ディスプレイ側筐体１３は、表示部１７と、表示部１７の表示面側にその上方の略中央に配置され、前方の被写体を撮像可能なカメラ１８とを備える。
【００３１】
本体側筐体１２及びディスプレイ側筐体１３は、それぞれの端部で左右の一対の連結部（ヒンジ部）１９ａ、１９ｂによって連結されており、連結部１９ａ、１９ｂは、これらの筐体を開閉自在に支持している。
【００３２】
図３は、図２のノートＰＣ１０の概略のハードウェア構成例を示す図である。ノートＰＣ１は、同図に示すように、ＣＰＵ３１、ＲＯＭ３２、メモリ３３、ＨＤＤ（ハードディスク）３４、表示部１７、入力部１４、カメラ装置２５、オーディオデバイス２７、通信デバイス２１、バッテリ２２、ＤＣ−ＤＣコンバータ２３，ＡＣアダプタ２４、ＵＳＢポート３９を備えており、各部はバスを介して直接又は間接的に接続されている。
【００３３】
ＣＰＵ３１は、バスを介して接続されたＨＤＤ３４に格納されたＯＳ４１によりノートＰＣ１０全体の制御を行うとともに、ＨＤＤ３４に格納された各種のプログラムに基づいて処理を実行する機能を司る。ＲＯＭ３２は、ＢＩＯＳ（Ｂａｓｉｃ  Ｉｎｐｕｔ／Ｏｕｔｐｕｔ  Ｓｙｓｔｅｍ：基本入出力システム）３２ａやデータ等を格納している。
【００３４】
メモリ３３は、キャッシュメモリやＲＡＭで構成されており、ＣＰＵ３１の実行プログラムの読み込み領域として、実行プログラムの処理データを書き込む作業領域として利用される書き込み可能メモリである。
【００３５】
ＨＤＤ（ハードディスク）３４は、例えば、Ｗｉｎｄｏｗｓ（登録商標）  ＸＰ、Ｖｉｓｔａ、７、８，８．１、Ａｎｄｒｏｉｄ（登録商標）、ＭａｃＯＳ（登録商標）、ｉＯＳ（登録商標）等のノートＰＣ１０全体の制御を行うためのＯＳ４１、周辺機器類をハードウェア操作するための各種のドライバ４２、ユーティリティプログラム４３，Ｗｅｂサイトをブラウジングするためのブラウザアプリケーション４４、特定業務に向けられた他のアプリプログラム４５等を記憶する機能を有する。他のアプリケーションプログラムは、例えば、メール、ワープロ、表計算、及び電話会議等のプログラムである。
【００３６】
ＯＳ４１は、ノートＰＣ１０の基本的な動作を制御しているものであり、各種資源を管理し、例えば、アプリケーションプログラムが発生した命令を、各種ドライバ４２やＢＩＯＳ３２ａに伝える。ＯＳ４１は、マルチタスク機能及びマルチウィンドウ機能を有し、アプリケーションプログラムの実行コンテキスト（あるアプリケーションプログラムが利用しているレジスタセットやメインメモリイメージ、ファイルハンドルなど）やＧＵＩの部品などのソフトウェア資源の管理も行うように構成されている。
【００３７】
各種ドライバ４２は、例えば、ＯＳ４１の指示に従って表示部１７を制御する表示ドライバ、ＯＳ４１の指示に従ってカメラ装置２５を制御するカメラドライバ、ＯＳ４１の指示に従ってオーディオデバイス２７を制御するオーディオドライバ、ＯＳ４１の指示に従って通信デバイス２１を制御する通信ドライバ等である。
【００３８】
ブラウザアプリケーション４４は、通常のブラウザアプリケーションの機能に加えて、入力エリアの難視化処理（難読化処理）を実行する機能を有する。入力エリアの難視化処理では、例えば、ＨＴＭＬのソースコードを解析して、入力エリアを検出し、その入力エリアに入力されて表示される情報が見え難くなうように、ＨＴＭＬのソースコードを加工することにしてもよい。
【００３９】
表示部１７は、ＣＰＵ３１の制御に従って、表示情報をビデオ信号に変換し、変換したビデオ信号に応じた各種情報を表示画面に表示する。
【００４０】
なお、本実施の形態では、ディスプレイとしてＬＣＤを使用することにしているが、本発明はこれに限られるものではなく、有機ＥＬディスプレイやＣＲＴ等の他のディスプレイを使用することにしてもよい。
【００４１】
入力部１４は、ユーザが入力操作を行うためのユーザインターフェースであり、文字、コマンド等を入力する各種キーより構成されるキーボードや、画面上のカーソルを移動させたり、各種メニューを選択するタッチパッド等を備えている。
【００４２】
カメラ装置２５は、例えば、ＵＳＢポート３９を介して、システム本体１０ａ（ホスト装置とも称する）に接続される。カメラ装置２５を接続するためのインターフェースは、ＵＳＢに限られるものではなく、Ｉ２ＣやＭＩＰＩ等の他のインターフェースを使用することにしてもよい。カメラ装置２５は、カメラ１８と、カメラ処理回路２６とを備えている。カメラ１８は、レンズや撮像部（ＣＣＤやＣＭＯＳ）を備えており、レンズは被写体光を結像し、撮像部は結像された被写体光をＲ，Ｇ，Ｂの画像信号として出力する。カメラ処理回路２６は、Ａ／Ｄ変換器、画像処理用ＬＳＩ、メモリ等を備え、撮像部の駆動タイミングや露出制御等を行うと共に、撮像部で得られたＲＧＢの画像信号をデータ処理（Ａ／Ｄ変換等）して、ＣＰＵ３１に出力する。カメラ装置２５は、その電源がＯＮされると、ホワイトバランス調整や露出調整等の初期処理を行って、撮像条件や信号処理が安定した後に撮像画像を出力するように構成されている。
【００４３】
オーディオデバイス２７は、マイクロフォン１５と、スピーカ１６ａ、１６ｂと、音声処理回路２８とを備えている。マイクロフォン２５は、音声を集音して音声データを音声処理回路２８に出力する。スピーカ１６ａ、１６ｂは、音声処理回路２８から出力される音声データに応じた音声を出力する。音声処理回路２８は、Ａ／Ｄ変換器、Ｄ／Ａ変換器、音声処理用ＬＳＩ、メモリ等を備えており、マイクロフォン１５から入力される音声データをデータ処理（Ａ／Ｄ変換等）し、データ処理後の音声データ（デジタルデータ）をＣＰＵ１１に出力したり、ＣＰＵ３１から入力される音声データ（デジタル）をＤ／Ａ変換して、スピーカ１６ａ、１６ｂから放音させる。
【００４４】
通信デバイス２１は、ネットワークを介してデータの送受信を行うためのものであり、画像データ及び音声データをネットワークに送信し、また、ネットワークを介して送信されてくる画像データ及び音声データを受信する。なお、通信デバイス２１は、画像データ及び音声データをコード化して送信することにしてもよく、また、コード化された画像データ及び音声データを受信した場合には、デコードすることにしてもよい。
【００４５】
ＡＣアダプタ２４は、商用電源に接続して、ＡＣ電圧をＤＣ電圧に変換してＤＣ−ＤＣコンバータ２３に出力する。ＤＣ−ＤＣコンバータ２３は、ＡＣアダプタ２４から供給されるＤＣ電圧を所定の電圧に変換して各部に電力を供給し、また、バッテリ２２の充電を行う。バッテリ２２は、ＤＣ−ＤＣコンバータ２３により充電され、充電した電圧を各部に供給する。バッテリ２３は、ＡＣアダプタ２４が商用電源に接続されていない場合に使用される。
【００４６】
図４は、図３のノートＰＣ１０の入力エリアの難視化（難読化）処理に関する概略の機能構成を示す図である。図４においては、入力エリアの難視化処理に関係する主要な部分のみを示している。図４において、ブラウザアプリケーション４４は、通信デバイス２１及びネットワーク２００を介してＷｅｂサーバ１００に接続されている。ブラウザアプリケーション４４は、Ｗｅｂサーバ１００のＵＲＬにアクセスしてＨＴＭＬのソースコードを取得して、そのＨＴＭＬソースコードを表示情報に変換して、ＯＳ４１等を介して、表示部１７に表示するためのアプリケーションである。
【００４７】
本実施の形態のブラウザアプリケーション４４は、通常のブラウザアプリケーションの機能に加えて、入力エリアの難視化処理を実行する機能を有する。ブラウザアプリケーション４４は、例えば、ＨＴＭＬ解析部５１，ＨＴＭＬ加工部５２，ＨＴＭＬ変換部５３等を備えている。
【００４８】
ＨＴＭＬ解析部５１は、ブラウザアプリケーション４４がＷｅｂサーバ１００から取得したＨＴＭＬのソースコードのタグを解析して、その入力エリアを判別する。例えば、解析の対象となるのは、Ｗｅｂページで各種個人情報の入力フォームを含んでいる場合、インターネットメール等である。また、例えば、入力エリアは、＜ｔｅｘｔａｒｅａ＞のタグで区切られたエリアは広義の意味で情報を入力するためのエリアであり、入力エリアを含んだエリアを判断でき、また、ｉｎｐｕｔ  ｔｙｐｅ＝ｔｅｘｔ，ｎａｍｅ，ｐａｓｓｗｏｒｄ，ｍａｉｌａｄｄｒｅｓｓ、ｓｅｘ、ｂｉｒｔｈｄａｙ、Ｆｏｒｍ、ｃｈｅｃｋｂｏｘ等で入力エリアを判別することができる。
【００４９】
ＨＴＭＬ加工部５２は、ＨＴＭＬ解析部５１で判別された入力エリアに入力される情報が見え難くなるようにＨＴＭＬのソースコードを加工する。例えば、第１の方法として、ＨＴＭＬ加工部５２は、入力エリアに入力される情報（例えば、文字）が見え難くなるように、入力エリアに背景（例えば、模様やモザイク等）を表示するようにＨＴＭＬのソースコードを加工することにしてもよい。第２の方法として、ＨＴＭＬ加工部５２は、入力エリアに入力される文字が見え難くなるように、入力エリアに入力される文字がカラー（例えば、黄色や灰色）で表示されるようにＨＴＭＬのソースコードを加工することにしてもよい。
【００５０】
第３の方法として、ＨＴＭＬ加工部５２は、入力エリアに入力される文字が見え難くなるように、入力エリアに入力される文字のサイズが小さく表示されるようにＨＴＭＬのソースコードを加工することにしてもよい。第１〜第３の方法は単独で実行してもよく、また、組み合わせて実行してもよい。なお、入力エリアに入力される文字の色を変えたり、サイズを小さくする処理は、ＯＳ４１等の他のプログラムが行ってもよい。
【００５１】
ＨＴＭＬ変換部５３は、ＨＴＭＬ加工部５２で加工されたＨＴＭＬのソースコードを表示情報に変換し、ＯＳ４１等を介して、表示部１７の表示画面に表示させる。入力部１４は、表示部１７の表示画面に表示された入力エリアに文字（情報）を入力する。この入力エリアに入力された文字は、上述した第１〜第３の方法により、表示部１７の表示画面で見え難くなる。
【００５２】
図５は、ブラウザアプリケーション４４による入力エリアの難視化処理の一例を説明するためのフローチャートである。図５において、まず、ブラウザアプリケーション４４は、Ｗｅｂサーバ１００からＨＴＭＬのソースコードを取得する（ステップＳ１）。ブラウザアプリケーション４４のＨＴＭＬ解析部５１は、ＨＴＭＬのソースコードを解析して、入力エリアを検出する（ステップＳ２）。ブラウザアプリケーション４４は、その入力エリアに入力されて表示される情報が見え難くなうように、ＨＴＭＬのソースコードの入力エリアを加工する（ステップＳ３）。ブラウザアプリケーション４４のＨＴＭＬ変換部５３は、加工したＨＴＭＬのソースコードを表示情報に変換する（ステップＳ４）。ブラウザアプリケーション４４は、ＯＳ４１等を介して、表示情報を表示部１７の表示画面に表示させる。
【００５３】
図６−１〜図７−３を参照して、入力エリアの難視化処理に係る表示例を説明する。図６−１は、本実施の形態に係る入力エリアの難視化処理を行っていない場合の個人情報の入力画面（第１の例）の表示例を示す図である。図６−２は、図６−１の個人情報の入力画面の元となるＨＴＭＬのソースコードの一部を示す図である。図６−３は、本実施の形態に係る入力エリアの難視化処理（入力エリアに模様の背景を表示する処理）を行った場合の個人情報の入力画面の表示例を示す図である。
【００５４】
図６−１に示すように、個人情報の入力画面の入力エリアは、通常、白の背景で黒文字のフォントを使用して入力するのが一般的であるため、覗き見されやすい状態である。本実施の形態では、図６−２に示すように、ＨＴＭＬのソースコードを解析し、例えば、ｉｎｐｕｔ  ｔｙｐｅ＝ｔｅｘｔ，ｐａｓｓｗｏｒｄ，ｃｈｅｃｋｂｏｘ等で入力エリアを検出することができる。図６−３に示すように、本実施の形態では、入力エリアの難視化処理を行って、入力エリアに模様の背景を表示して、入力エリアに入力されて表示される文字を見え難くしている。
【００５５】
図７−１は、本実施の形態に係る入力エリアの難視化処理を行っていない場合の個人情報の入力画面（第２の例）の表示例と、この個人情報の入力画面の元となるＨＴＭＬのソースコードを示す図である。図７−２は、本実施の形態に係る入力エリアの難視化処理（入力エリアに入力される文字の表示サイズを小さくする処理）を行った場合の個人情報の入力画面の表示例を示す図である。図７−３は、本実施の形態に係る入力エリアの難視化処理（入力エリアに入力される文字の色をカラーとする処理）を行った場合の個人情報の入力画面の表示例を示す図である。
【００５６】
図７−１に示すように、個人情報の入力画面の入力エリアは、通常、白の背景で黒文字のフォントを使用して入力するのが一般的であるため、覗き見されやすい状態である。本実施の形態では、ＨＴＭＬのソースコードを解析し、例えば、ｉｎｐｕｔ  ｔｙｐｅ＝ｐａｓｓｗｏｒｄ、ｎａｍｅ、ｔｅｘｔ等で入力エリアを検出することができる。そして、本実施の形態では、例えば、図７−２に示すように、入力エリアに入力される文字の表示サイズを小さくする処理を行って、入力エリアに入力されて表示される文字を見え難くする。また、例えば、図７−３に示すように、入力エリアに入力される文字を灰色や黄色等のカラーで表示する処理を行って、入力エリアに入力されて表示される文字を見え難くする。
【００５７】
なお、本実施の形態では、ブラウザアプリケーション４４が入力エリアの難視化処理を行うことにしたが、これに限られるものではなく、ＯＳ４１等の他のプログラムがその一部又は全部を実行してもよい。
【００５８】
なお、上記実施例では、携帯型情報処理装置としてノートＰＣを例示したが、本発明はこれに限られるものではなく、タブレット端末、スマートフォン端末、携帯電話端末、及びＰＤＡ端末等の他の携帯型情報処理装置にも適用可能である。
【符号の説明】
【００５９】
１  ソース情報解析手段
２  ソース情報加工手段
３  表示制御手段
４  表示部
１０  ノートＰＣ
１２  本体側筐体
１３  ディスプレイ側筐体
１４  入力部
１５  マイクロフォン
１６ａ、１６ｂ  スピーカ
１７  ＬＣＤ（液晶ディスプレイ）
１８  カメラ
１９ａ、１９ｂ  連結部（ヒンジ部）
２５  カメラ装置
２６  カメラ処理回路
３１  ＣＰＵ
３２  ＲＯＭ
３３  メモリ
３４  ＨＤＤ（ハードディスク）
４１  ＯＳ
４２  ドライバ
４３  ユーティリティプログラム
４４  ブラウザアプリケーション
４５  他のアプリケーション
５１  ＨＴＭＬ解析部
５２  ＨＴＭＬ加工部
５３  ＨＴＭＬ変換部
【図１】
2016053899.tif 000003
【図２】
2016053899.tif 000004
【図３】
2016053899.tif 000005
【図４】
2016053899.tif 000006
【図５】
2016053899.tif 000007
【図６−１】
2016053899.tif 000008
【図６−２】
2016053899.tif 000009
【図６−３】
2016053899.tif 000010
【図７−１】
2016053899.tif 000011
【図７−２】
2016053899.tif 000012
【図７−３】
2016053899.tif 000013